(57)【要約】【課題】この考案の目的は、喫煙者が自然に喫煙本数を減らし、徐々に禁煙できるタバコケースを提供することにある。【解決手段】タバコ１箱を収納できるタバコ室と１０円硬貨を２０枚以上収納できるコイン室とを備えたケース本体と、前記両室の上部を同時に開閉する上蓋とからなり、前記上蓋に、タバコを取り出すためのタバコ取出口と、コインを投入するための１０円硬貨投入口及び１００円硬貨投入口を備えている。【選択図】　　　　図１
0003099697.tif 000002
【実用新案登録請求の範囲】
【請求項１】
タバコ１箱を収納できるタバコ室と１０円硬貨を２０枚以上収納できるコイン室とを備えたケース本体と、前記両室の上部を同時に開閉する上蓋とからなり、前記上蓋に、タバコを取り出すためのタバコ取出口と、コインを投入するための１０円硬貨投入口及び１００円硬貨投入口を備えていることを特徴とするタバコケース。
【請求項２】
前記１０円硬貨投入口から１０円硬貨を投入することにより前記タバコ取出口が開口する請求項１に記載のタバコケース。
【請求項３】
前記１００円硬貨投入口から１００円硬貨を投入することにより前記上蓋が開口する請求項１又は２に記載のタバコケース。
【請求項４】
前記ケース本体の外部に、コイン収納部を備えた請求項１乃至３の何れか１項に記載のタバコケース。
【請求項５】
前記ケース本体の外表面に、禁煙などの目標達成を示す達成表を備えた請求項１乃至４の何れか１項に記載のタバコケース。
【考案の詳細な説明】
【０００１】
【考案の属する技術分野】
この考案はタバコケースに関し、特に健康管理および金銭問題のために、禁煙又は節煙を努力している人々に役立つタバコケースに関する。
【０００２】
【従来技術】
タバコが人体に害を与えることは周知のことで、喫煙者のみならず、非喫煙者にも煙による害を与え、そのため禁煙運動も盛んで、公共の場所、職場等でも徐々に禁煙とする所が増えている。
しかし、喫煙者は身体に害があることは分かっていても、即禁煙することは至難で、殆ど不可能である。そこで、喫煙本数を減らすことにより、次第に全面的に禁煙しようとしているが、タバコを所持しているとつい手が届き、吸ってしまうのである。
【０００３】
このように節煙を努力している人々に役立つ喫煙用品として、例えばタイマー付きタバコケースが提案されている。
すなわち、設定された時間が経過しないと蓋が開かず、従ってタバコが取り出せないようなタバコケースであり、喫煙者がこのタバコケースを所持することにより、節煙が促されるというものである。
【０００４】
【考案が解決しようとする課題】
しかしながら、タバコを予め決めた時間にのみ一本ずつ吸うことは、あまりにも機械的であり、喫煙者の意思とは無関係に禁煙を強制するものである。
本来タバコは嗜好品であり、喫煙によってストレスを解消したり、発想の転換を図るものであるから、喫煙のタイミングは喫煙者の意思によるべきである。
そこで、本考案は、喫煙そのものは喫煙者が随意にできるようにするとともに、タバコを吸うたびにコインの投入を強要することにより、自然に喫煙本数を減らし、徐々に禁煙できるようなタバコケースを提供することを目的とする。
【０００５】
【課題を解決するための手段】
上記の目的を達成するために、この考案のタバコケースは、タバコ１箱を収納できるタバコ室と１０円硬貨を２０枚以上収納できるコイン室とを備えたケース本体と、前記両室の上部を同時に開閉する上蓋とからなり、前記上蓋に、タバコを取り出すためのタバコ取出口と、コインを投入するための１０円硬貨投入口及び１００円硬貨投入口を備えている手段を採用したものである。
【０００６】
また、この考案のタバコケースは、前記１０円硬貨投入口から１０円硬貨を投入することにより前記タバコ取出口が開口する手段を採用したものである。
さらに、前記１００円硬貨投入口から１００円硬貨を投入することにより前記上蓋が開口する手段を採用したものである。
また、前記ケース本体の外部に、コイン収納部を備えた手段を採用したものであり、さらに、前記ケース本体の外表面に、禁煙などの目標達成を示す達成表を備えた手段を採用したものである。
【０００７】
【作用】
上記の手段を採用したことにより、この考案のタバコケースを用いる喫煙者は、喫煙そのものは随意にできるものの、タバコを吸うたびにコインを投入することを強要、又は半強要されることにより、自然に喫煙本数を減らし、徐々に禁煙できるようにすることができる。
また、この考案のタバコケースは、コインを投入するので貯金箱の役割も果たすことになり、これによって次のタバコを買うための資金投入に役立つことになる。
【０００８】
【考案の実施の形態】
以下、図面に示すこの考案の実施の形態について説明する。
図１〜３は、この考案のタバコケースの一例を示し、図１及び図２はその外観図であり、図３はその断面図である。
【０００９】
タバコケース１は、ケース本体１０と、その上部に開閉自在に取り付けられた上蓋２０とからなっている。
ケース本体１０の内部は、仕切１３によって二室に区画され、タバコ１箱分を収納できるタバコ室１１、及び１０円硬貨を２０枚以上収納できるコイン室１２からなっている。タバコ室１１は、１箱分のタバコ（例えば２０本）をばらばらの状態で収納しても良いが、箱ごと収納できる方が便利であり好ましい。
【００１０】
上蓋２０は、ヒンジ２４によって開閉自在となっており、ケース本体１０のタバコ室１１及びコイン室１２の上部を同時に開閉することができる。上蓋２０には、その上面に１０円硬貨投入口２１、１００円硬貨投入口２２、及びタバコ取出口２３が設けられている。
【００１１】
１０円硬貨投入口２１は、コイン室１２の上部に形成されており、投入された１０円硬貨は落下して、コイン室１２に収納されるようになっている。この考案は、タバコを１本取り出す度に１０円硬貨を入れるようにしているので、コイン室１２は、１０円硬貨を２０枚以上収納できることが必要である。
一方、１００円硬貨は１枚だけ投入できれば良く、落下する場所は特に限定されない。
【００１２】
タバコ取出口２３は、タバコ室１１の上部に形成されるとともに、ヒンジ２５によって開閉自在になっており、これを開口することにより、タバコ室１１からタバコ４１を取り出すことができるようになっている。したがって、タバコ取出口２３は、タバコ室１１の左右どちらかの一端に設けることが好ましい。
【００１３】
１０円硬貨の投入とタバコ取出口２３の開口とが連動するようにして、１０円硬貨を入れることにより、タバコ取出口２３が開口するようにすることもできる。
また、１００円硬貨の投入と上蓋２０の開口とが連動するようにして、１００円硬貨を入れることにより、上蓋２０が開くようにすることもできる。
このような仕掛けは、多少複雑な機構を必要とするが、公知の方法で行うことができる。
【００１４】
タバコ取出口２３及び上蓋２０の開口をコインの投入と関連付けることにより、２０本入りのタバコを喫煙する場合には、タバコの取り出しに１０円硬貨を２０枚必要とし、さらに、上蓋２０を開くために１００円硬貨を１枚必要とするので、タバコを１箱喫煙する度に３００円の貯金をすることができる。
したがって、次のタバコを購入するための資金投入に役立たせることができる。
【００１５】
この考案のタバコケース１は、ケース本体１０の外部に、コイン収納部３０を備えることができる。したがって、買い物のつり銭などをここに入れておくことにより、喫煙に必要な硬貨を自然に用意しておくことができる。
さらに、ケース本体１０の外表面には、禁煙などの目標達成を示す達成表３１を備えることができる。したがって、喫煙者が自分の意思で目標を定め、計画的に無理なく節煙を行うことができる。
【００１６】
【考案の効果】
以上のように、この考案のタバコケースを使用すると、タバコを１本取り出す度に、コインを投入しなければならないので、１本１本を大事に喫煙する習慣を身につけることになり、自然に喫煙本数を減らすことができる。
また、喫煙者が自分の意思で目標を定め、計画的に無理なく節煙を行うことができるので、徐々に禁煙することができる。
【図面の簡単な説明】
【図１】この考案によるタバコケースの概略斜視図である。
【図２】上蓋を開口したときの概略斜視図である。
【図３】内部を示す断面図である。
【符号の説明】
１……タバコケース
１０……ケース本体
１１……タバコ室
１２……コイン室
１３……仕切
２０……上蓋
２１……１０円硬貨投入口
２２……１００円硬貨投入口
２３……タバコ取出口
２４、２５……ヒンジ
３０……コイン収納部
３１……達成表
４１……タバコ
４２、４３……硬貨
【図１】
0003099697.tif 000003
【図２】
0003099697.tif 000004
【図３】
0003099697.tif 000005